(57)【特許請求の範囲】
【請求項１】
カラオケ演奏データに基づき楽音を再生してカラオケ演奏を行なうカラオケ演奏手段と、
利用者の歌唱音声を入力するためのマイクロホンを差し込むためのマイク用入力端子と、
前記マイク用入力端子とは別のヘッドホン用出力端子と、
前記カラオケ演奏手段からの楽音と前記マイク用入力端子に差し込まれたマイクロホンを介して入力された利用者の歌唱音声とを合成し、増幅する合成増幅手段と、
該合成増幅手段から出力された楽音と歌唱音声との合成音を空間に放射して音場を形成するスピーカとを備えたカラオケ装置において、
前記スピーカは、前記カラオケ演奏手段によって再生された楽音以外の音声出力にも利用可能とされていると共に、
耳に装着され、前記合成増幅手段から出力された楽音と歌唱音声との合成音を外耳道に加える、前記マイクロホンとは別体のヘッドホンと、
前記マイク用入力端子にマイクロホンが差し込まれている場合には、前記合成増幅手段から前記ヘッドホン用出力端子を介して出力された楽音と歌唱音声との合成音が前記ヘッドホンからのみ出力し、マイクロホンが差し込まれていない場合には、前記カラオケ演奏手段からの楽音のみを増幅して出力されたものを前記スピーカから出力するように制御する出力先制御手段とを備えることを特徴とするカラオケ装置。
【請求項２】
前記マイク用入力端子にマイクロホンが差し込まれている場合に前記合成音をヘッドホンからのみ出力させる通常モードと、マイク用入力端子にマイクロホンが差し込まれていても前記合成音を前記スピーカから出力させる特別モードとを切替設定するためのモード設定手段を備えていることを特徴とする請求項１に記載のカラオケ装置。
【請求項３】
前記ヘッドホンは装置本体と無線接続されており、装置本体は、前記合成増幅手段から前記ヘッドホン用出力端子を介して出力された楽音と歌唱音声との合成音を高周波信号に変調して送信する無線送信手段を備え、一方、前記ヘッドホンは、前記無線送信手段から送信された高周波信号を受信して復調再生する受信手段を備えていることを特徴とする請求項１又は２記載のカラオケ装置。
【発明の詳細な説明】
【０００１】
【発明の属する技術分野】
本発明は、伴奏音楽に合わせて歌唱して楽しむことが可能なカラオケ装置に関し、特にカラオケ以外の音声出力サービスも利用可能なものに関する。
【０００２】
【従来の技術】
従来より、伴奏音楽であるカラオケ演奏に合わせて歌唱することで利用者が楽しむことができるカラオケ装置が知られている。所望の曲を選択するとその曲のカラオケ演奏のみが流れるため、利用者は、歌手が伴奏に合わせて歌唱している部分を歌って楽しむことができる。実際には、テレビモニタ等に映像を背景としてその曲の歌詞が映し出され、それを見ながら利用者が歌唱してカラオケを楽しむという形式が多い。
【０００３】
また、現在では単にカラオケ専用の装置ではなく、例えばカラオケサービス以外にも、ゲームや占い等の補助的なサービスも提供できるようにされていたり、通常のテレビ番組やＶＴＲも視聴できるようにされている。
【０００４】
【発明が解決しようとする課題】
このようなカラオケ装置であるが、その設置場所によっては、次のような問題が生じる。例えばカラオケボックス等のカラオケ専用の場所では防音対策等が確実になされていることが多く、またその目的で集まっている人ばかりなので、いわゆる騒音問題は生じにくい。しかしながら、例えばホテル等の宿泊施設において部屋にカラオケ装置が設置されている場合等のように、本来の目的は他にあり（例えば宿泊）、付加的なサービスとしてのカラオケという位置づけの場合には、カラオケを利用していない隣室の人にとっては不快な騒音となり得る。
【０００５】
そこで本発明は、上述した問題点を解決するためになされたものであり、上述した騒音問題を解消できるカラオケ装置を提供することを目的とする。
【０００６】
【課題を解決するための手段及び発明の効果】
上記目的を達成するために成された請求項１に記載の発明は、カラオケ演奏データに基づき楽音を再生してカラオケ演奏を行なうカラオケ演奏手段と、利用者の歌唱音声を入力するためのマイクロホンを差し込むためのマイク用入力端子と、前記マイク用入力端子とは別のヘッドホン用出力端子と、前記カラオケ演奏手段からの楽音と前記マイク用入力端子に差し込まれたマイクロホンを介して入力された利用者の歌唱音声とを合成し、増幅する合成増幅手段と、該合成増幅手段から出力された楽音と歌唱音声との合成音を空間に放射して音場を形成するスピーカとを備えたカラオケ装置において、前記スピーカは、前記カラオケ演奏手段によって再生された楽音以外の音声出力にも利用可能とされていると共に、耳に装着され、前記合成増幅手段から出力された楽音と歌唱音声との合成音を外耳道に加える、前記マイクロホンとは別体のヘッドホンと、前記マイク用入力端子にマイクロホンが差し込まれている場合には、前記合成増幅手段から前記ヘッドホン用出力端子を介して出力された楽音と歌唱音声との合成音が前記ヘッドホンからのみ出力し、マイクロホンが差し込まれていない場合には、前記カラオケ演奏手段からの楽音のみを増幅して出力されたものを前記スピーカから出力するように制御する出力先制御手段とを備えることを特徴とするカラオケ装置である。
【０００７】
本発明のカラオケ装置によれば、カラオケ演奏手段がカラオケ演奏データに基づき楽音を再生してカラオケ演奏を行ない、そのカラオケ演奏手段からの楽音とマイク用入力端子に差し込まれたマイクロホンを介して入力された利用者の歌唱音声とを合成増幅手段が合成し、増幅する。そして、出力先制御手段は、マイク用入力端子にマイクロホンが差し込まれている場合には合成増幅手段からマイク用入力端子とは別のヘッドホン用出力端子を介して出力された合成音をヘッドホンからのみ出力し、マイクロホンが差し込まれていない場合には、カラオケ演奏手段からの楽音のみを増幅して出力されたものをスピーカから出力する。
【０００８】
したがって、マイクロホンを接続し、そのマイクロホンから入力した歌唱音声をカラオケ演奏による再生楽音と合成してカラオケを楽しむ場合には、その合成音はヘッドホンからのみの出力となる。このようにすることで、次のような効果が生じる。すなわち、例えばホテル等の宿泊施設において部屋にカラオケ装置が設置されている場合等のように、本来の目的は他にあるが付加的なサービスとしてカラオケが位置づけられている場合がある。この場合には、通常のカラオケのようにスピーカから出力してしまうと、カラオケを利用していない隣室の人にとっては不快な騒音となり得るので、本発明のようにすれば、ヘッドホンからのみの出力であり、上述した騒音問題を解消できる。そして、利用者にとっては、通常のスピーカから出力されるのとほとんど変わりなくカラオケを楽しめる。また、歌唱していない周囲の人もヘッドホンを付ければ、やはり同じように楽しめるのである。
【０００９】
なお、利用者が口から出す「生の」歌唱音声は存在するが、合成増幅手段によって増幅した大音量のものではないので、特に問題はない。そして、利用者にとって通常のスピーカから出力されるのとほとんど変わりなくカラオケを楽しめると上述したが、ヘッドホンであればダイレクトに自分の耳に入ってくるので、自分の声が正確に確認でき正しく歌うために有利である。これはいわゆる歌手がレコーディングの際に、ヘッドホンをしながら行なうのと同じ理由である。そして、レコーディングしているような気分に近づけるという感覚的な利点もある。
【００１０】
さらに、歌唱していない周囲の人について言えば、従来スピーカの近くにいる人にとっては音が大きすぎたり、遠くにいる人には音が小さすぎたりすることがあったが、このようにヘッドホンで聞くようにすれば、居る場所に影響されず、常に最適な音量で楽しめる。
【００１１】
一方、カラオケ演奏による再生楽音以外の音声出力の場合、例えば通常のテレビ番組やＶＴＲを視聴できるようにされていたり、カラオケサービス以外にも、ゲームや占い等の補助的なサービスも提供できるようにされている場合には、それらの音声はスピーカから出すようにしている。あるいはカラオケ演奏による再生楽音であっても、マイクロホンがマイク用入力端子に接続されていない場合には、スピーカから音が出る。上述した騒音の最大の原因は増幅されて出力される人間の歌う声であることが多い。それは、人間の声が他人にとっては気になるという基本的な点に加え、やたら大声で歌ったりする人がいる点や、また下手な歌であればより不快になるという点からも容易に理解できる。
【００１２】
したがって、完全にスピーカからの音声出力を無くすというのではなく、利用者の歌唱音声が合成されるようなカラオケを楽しむ場合に限りヘッドホンからの出力に切り替えるのである。これは、利用者本人あるいはその周囲の人達だけが楽しめればよいというのでなく、隣室等の居るカラオケを一緒に楽しまない人達にとっての騒音となることを防止し、全員にとっての利益を図るという思想に基づいている。
【００１３】
また、請求項２に示すように、マイク用入力端子にマイクロホンが差し込まれている場合に合成音をヘッドホンからのみ出力させる通常モードと、マイク用入力端子にマイクロホンが差し込まれていても合成音をスピーカから出力させる特別モードとを切替設定できるモード設定手段を設けることも考えられる。このようにモード切替できるようにすれば、例えば、午後１０時までは特別モードに設定してスピーカからの出力とし、それ以降は通常モードに設定してヘッドホンからの出力というようにカラオケ装置の管理者が管理する場合に便利である。これは、ホテル等において、夜間（就寝している人が居る時間帯）には特に騒音問題が顕著になるので、その場合にはヘッドホン出力とし、そうでない昼間はスピーカ出力にするといったことができる。
【００１４】
ここで注意することは、利用者が勝手にモードを切り替えられるようになっていると、夜間にもスピーカから出力させて騒音問題となる可能性があるので、利用者は切替ができず、管理者のみが切替できるようにしておく必要があるということである。もちろん、このような特別モードがなく、どのような場合にでもヘッドホン出力となる構成のカラオケ装置であれば上記問題は考慮しなくてよい。
【００１５】
なお、ヘッドホンとしては、一般的にヘッドホンと呼ばれている「載頭形ヘッドホン」と、一般的にイヤホンと呼ばれている「挿入形ヘッドホン」があり、そのどちらの形態でもよい。そして、このヘッドホンは装置本体と有線接続されていてもよいし、また無線接続されていてもよい。無線接続の場合には、請求項３に示すように、装置本体は合成増幅手段から前記ヘッドホン用出力端子を介して出力された楽音と歌唱音声との合成音を高周波信号に変調して送信する無線送信手段を備え、一方、ヘッドホンは無線送信手段から送信された高周波信号を受信して復調再生する受信手段を備えればよい。
【００１６】
無線接続となっている場合には、有線接続の場合に比べて自由に動き回れることに加え、装置本体が１つの無線送信手段を備えていれば複数台のヘッドホンで受信可能であり、多数人で楽しむ場合に有効である。つまり、有線接続の場合は基本的にヘッドホン用入力端子が設けられた数しかヘッドホンが接続できず、利用人数がおのずと制限されてしまうからである。
【００１７】
【発明の実施の形態】
以下、本発明を具体化した実施形態としてのカラオケ装置を説明する。図１はカラオケ装置の概略構成を示すブロック図である。図１に示すように、本実施形態のカラオケ装置３０は、各種の演算処理が可能でカラオケ装置３０の各部を制御する制御手段であり「カラオケ演奏手段」としても機能する中央制御装置３１と、カラオケ曲データ等のサービス提供用データや中央制御装置３１の動作プログラム等を格納するための記憶手段としてのハードディスク３３と、中央制御装置３１によりハードディスク３３から読み出されて転送されてくるディジタルデータをアナログの演奏信号に変換する「カラオケ演奏手段」としての音声再生回路３４と、音声再生回路３４から送られてくる音声信号を電気的に増幅し、セレクタ３７を介しマイクロホン４３より入力された歌唱音声と適度な割合でミキシングし、セレクタ３７を介してスピーカ４４に出力する「合成増幅手段」としてのミキサアンプ３５と、カラオケ曲データに含まれる歌詞データを背景映像用の背景映像データと合成して表示手段としてのテレビモニタ４５に表示させる画面表示制御装置３６と、カラオケ装置３０に各種指示入力を行うための入力手段としての多目的入力キー３８と、上記ミキサアンプ３５とマイクロホン４３及びスピーカ４４の間に介装されたセレクタ３７と、セレクタ３７に接続され、ミキサアンプ３５から出力された音声信号あるいはそれに歌唱音声をミキシングした信号を高周波信号に変調して送信する「無線送信手段」としての無線送信装置３９等を備えている。
【００１８】
この無線送信装置３９から送信された高周波信号はワイヤレスヘッドホン（以下、単にヘッドホンという。）５０によって受信される。なお、ヘッドホン５０は、利用者の耳に装着され、受信して再生した音声を利用者の外耳道に加えるものである。このヘッドホン５０としては、一般的にヘッドホン５０と呼ばれている「載頭形ヘッドホン」と、一般的にイヤホンと呼ばれている「挿入形ヘッドホン」があり、どちらの形態でも構わない。
【００１９】
前記ハードディスク３３には、カラオケサービス提供用データとして、予め数千曲程度のカラオケ曲データが記憶されている。１曲分のカラオケ曲データは、曲同士を識別するための識別情報である曲番号データと、実体情報とから構成されている。この内の実体情報は、伴奏音」楽の情報であるＭＩＤＩ（Musical Instrument Digital Interface）規格の演奏データおよび歌詞を文字表示するための歌詞データを含み、曲に対応した映像情報を符号化した背景映像データが含まれることもある。また、本カラオケ装置３０では、カラオケ以外にもゲームや占い等の補助的なサービスを提供することができ、これらのサービス提供用のデータもハードディスク３３に記憶されている。
【００２０】
このカラオケ装置３０においては、利用者は、前述の多目的入力キー３８を操作することにより、サービスの種類（カラオケ、占い、ゲーム等）を入力したり、あるいはカラオケサービスモードにおいてリクエスト曲を入力できる。前記セレクタ３７についてさらに説明する。このセレクタ３７は上述したように、ミキサアンプ３５とマイクロホン４３及びスピーカ４４の間に介装されるものであり、マイクロホン４３を接続するための「マイク用入力端子」３７ａを備えている。なお、図１に示すように、マイク用入力端子３７ａに接続されたマイクロホン４３を介して入力された音声信号をミキサアンプ３５に出力するためのマイク用出力端子３７ｂと、ミキサアンプ３５からの出力信号を入力するためのアンプ用入力端子３７ｃと、そのアンプ用入力端子３７ｃより入力したミキサアンプ３５からの出力信号をスピーカ４４へ出力するためのスピーカ用出力端子３７ｄと、アンプ用入力端子３７ｃより入力したミキサアンプ３５からの出力信号を無線送信装置３９へ出力するための無線送信装置用出力端子３７ｅとを備えている。
【００２１】
また、アンプ用入力端子３７ｃとスピーカ用出力端子３７ｄあるいは無線送信装置用出力端子３７ｅとの間には「出力先制御手段」としての出力先切替部４１が介装されている。この出力先切替部４１は、アンプ用入力端子３７ｃより入力したミキサアンプ３５からの出力信号の出力先を、スピーカ４４へ出力するためのスピーカ用出力端子３７ｄ側と、無線送信装置３９へ出力するための無線送信装置用出力端子３７ｅ側とのいずれかに切替可能とされている。
【００２２】
そして、この出力先切替部４１は、基本的にはスピーカ４４へ出力するためのスピーカ用出力端子３７ｄ側へ接続されているが、マイク用入力端子３７ａにマイクロホン４３が接続された場合には、その接続されたことを検知した信号が入力することによって、無線送信装置３９へ出力するための無線送信装置用出力端子３７ｅ側へ切り替えて接続するように構成されている。この切り替えるための構成は、例えば通常のオーディオ機器ですでに実現されているように、ヘッドホンジャックを接続するとそれまでスピーカから出力していたものをヘッドホン側に自動的に切り替える構成と同様であってもよいし、また、マイク用入力端子３７ａにマイクロホン４３のジャックが接続されたことを電気的に検出し、それに基づいてリレー等を動作させることにより切り替えるようにしてもよい。
【００２３】
なお、出力先切替部４１は、上述したようにマイク用入力端子３７ａにマイクロホン４３が接続された場合には無線送信装置用出力端子３７ｅ側へ接続し、マイクロホン４３が接続されていない場合にはスピーカ用出力端子３７ｄ側へ接続するように構成されているが、どのような場合にでも必ずこのように切り替わるわけではなく、本実施形態では例外がある。それは、出力先切替部４１に接続されている「モード設定手段」としてのモード設定スイッチ４２の設定状態による。
【００２４】
このモード設定スイッチ４２は、「通常モード」と「特別モード」の２つのモードを切替設定可能にされており、「通常モード」に設定されている場合には、上述した通常の切替制御を行なう。一方、「特別モード」に設定されている場合には、出力先切替部４１は、マイクロホン４３が接続されていない場合にはもちろん、マイク用入力端子３７ａにマイクロホン４３が接続されている場合であっても、無線送信装置用出力端子３７ｅ側ではなく、スピーカ用出力端子３７ｄ側へ強制的に接続するように構成されている。
【００２５】
以上の構成を備える本実施形態のカラオケ装置３０によれば、次のような作用・効果を奏する。本カラオケ装置３０を用いて利用者がカラオケを楽しむ場合には、通常マイクロホン４３をマイク用入力端子３７ａに接続する。そのため、そのマイクロホン４３から入力した歌唱音声は、ミキサアンプ３５において、音声再生回路３４からの再生楽音と合成され、その合成音は無線送信装置用出力端子３７ｅを介して無線送信装置３９側へ出力される。そのためヘッドホン５０からのみの出力となり、利用者はヘッドホン５０を装着してカラオケを楽しむこととなる。
【００２６】
こうすることで、次のような効果が生じる。すなわち、例えばホテル等の宿泊施設において部屋にカラオケ装置３０が設置されている場合等のように、本来の目的は他にあるが付加的なサービスとしてカラオケが位置づけられている場合がある。この場合には、通常のカラオケのようにスピーカ４４から出力してしまうと、カラオケを利用していない隣室の人にとっては不快な騒音となり得るので、本実施形態のようにすれば、ヘッドホン５０からのみの出力であり、上述した騒音問題を解消できる。そして、利用者にとっては、通常のスピーカ４４から出力されるのとほとんど変わりなくカラオケを楽しめる。また、歌唱していない周囲の人もヘッドホン５０を付ければ、やはり同じように楽しめるのである。
【００２７】
なお、利用者（カラオケを伴奏にして歌っている人を指す。）が口から出す「生の」歌唱音声は存在するが、ミキサアンプ３５によって増幅された大音量のものではないので、特に問題はない。そして、利用者にとって通常のスピーカ４４から出力されるのとほとんど変わりなくカラオケを楽しめると上述したが、ヘッドホン５０であればダイレクトに自分の耳に入ってくるので、自分の声が正確に確認でき正しく歌うために有利である。これはいわゆる歌手がレコーディングの際に、ヘッドホン５０をしながら行なうのと同じ理由である。そして、レコーディングしているような気分に近づけるという感覚的な利点もある。
【００２８】
さらに、歌唱していない周囲の人について言えば、従来スピーカ４４の近くにいる人にとっては音が大きすぎたり、遠くにいる人には音が小さすぎたりすることがあったが、このようにヘッドホン５０で聞くようにすれば、居る場所に影響されず、常に最適な音量で楽しめる。
【００２９】
一方、カラオケ演奏による再生楽音以外の音声出力の場合、例えばカラオケサービス以外にも、ゲームや占い等の補助的なサービスも提供できるようにされている場合には、それらの音声はスピーカ４４から出すようにしている。あるいはカラオケ演奏による再生楽音であっても、マイクロホン４３がマイク用入力端子に接続されていない場合には、スピーカ４４から音が出る。上述した騒音の最大の原因は人間の歌う声であることが多い。それは、人間の声が他人にとっては気になるという基本的な点に加え、やたら大声で歌ったりする人がいる点や、また下手な歌であればより不快になるという点からも容易に理解できる。
【００３０】
したがって、そのような場合にもスピーカ４４からの音声出力を無くすというのではなく、利用者の歌唱音声が合成されるようなカラオケを楽しむ場合に限りヘッドホン５０からの出力に切り替えるのである。これは、利用者本人あるいはその周囲の人達だけが楽しめればよいというのでなく、隣室等の居るカラオケを一緒に楽しまない人達にとっての騒音となることを防止し、全員にとっての利益を図るという思想に基づいている。
【００３１】
また、本実施形態では、モード設定スイッチ４２によって、マイク用入力端子３７ａにマイクロホン４３が差し込まれている場合にはヘッドホン５０からのみ出力させる通常モードと、マイク用入力端子３７ａにマイクロホン４３が差し込まれていてもスピーカ４４から出力させる特別モードとを切替設定できるモード設定手段を設けることも考えられる。このようにモード切替できるようにすれば、例えば、午後１０時までは特別モードに設定してスピーカ４４からの出力とし、それ以降は通常モードに設定してヘッドホン５０からの出力というようにカラオケ装置の管理者が管理する場合に便利である。これは、ホテル等において、夜間（就寝している人が居る時間帯）には特に騒音問題が顕著になるので、その場合にはヘッドホン５０からの出力とし、そうでない昼間はスピーカ４４からの出力にするといったことができる。
【００３２】
ここで注意することは、利用者が勝手にモードを切り替えられるようになっていると、夜間に勝手に特別モードにしてスピーカ４４から出力させてしまうこととなり、騒音問題となる可能性があるので、利用者は切替ができず、管理者のみが切替できるようにしておく必要があるということである。例えば、装置の裏側で通常は利用者の目には触れない箇所にモード設定スイッチ４２を設けておいたり、あるいは鍵等で開けないとスイッチの操作ができないようにするといったことが考えられる。もちろん、モード設定スイッチ４２がなく、マイクロホン４３を接続した場合には必ずヘッドホン５０からの出力となるようにしたカラオケ装置３０であれば上記問題は考慮しなくてよい。
【００３３】
また、本実施形態では、セレクタ３７をミキサアンプ３５とマイクロホン４３及びスピーカ４４の間に介装しているが、ミキサアンプ３５がこのセレクタ３７の機能を兼ね備えるように構成してもよい。そして、無線送信装置３９の機能も兼ね備えるように構成してもよい。但し、本実施形態のようにセレクタ３７とミキサアンプ３５とを分離すれば、スピーカ４４からの出力のみを前提として構成された従来からのカラオケ装置を利用し、セレクタ３７と無線送信装置３９を新たに追加するだけでよくなる。つまり、従来はミキサアンプ３５の図示しない端子にマイクロホン４３やスピーカ４４を接続していたものを、セレクタ３７のマイク用入力端子３７ａにマイクロホン４３を接続し、スピーカ用出力端子３７ｄにスピーカ４４を接続し直せばよい。セレクタ３７は、マイク用出力端子３７ｂとアンプ用入力端子３７ｃとを用いてミキサアンプ３５と接続することができる。
【００３４】
以上本発明はこの様な実施形態に何等限定されるものではなく、本発明の主旨を逸脱しない範囲において種々なる形態で実施し得る。例えば、上記実施形態においては、カラオケ装置３０が無線送信装置３９を備え、ヘッドホン５０はワイヤレス形式のものとしたが、装置本体と有線接続されていてもよい。但し、上記実施形態のように無線接続とすると、有線接続の場合に比べて自由に動き回れることに加え、装置本体が１つの無線送信装置３９を備えていれば複数台のヘッドホン５０で受信可能であり、多数人で楽しむ場合に有効である。つまり、有線接続の場合は基本的にヘッドホン用入力端子が設けられた数しかヘッドホン５０が接続できず、利用人数がおのずと制限されてしまうからである。
【００３５】
また、カラオケ演奏による再生楽音以外の音声出力の場合として、ゲームや占い等の補助的なサービスを挙げたが、他にも、例えば通常のテレビ番組やＶＴＲを視聴できるようにされている場合には、それらも該当する。マルチメディア時代のカラオケ装置としては、カラオケ専用の装置とするのではなく、カラオケ以外にも種々の情報提供サービスが実現できることが望ましい。したがって、そのようなマルチメディア的な利点を保持したままカラオケ特有の騒音問題を解決することは、社会との共生の中で産業発達を図るという観点からも有効である。
【図面の簡単な説明】
【図１】 本発明の一実施形態のカラオケ装置の概略構成図である。
【符号の説明】
３０…カラオケ装置 ３１…中央制御装置３３…ハードディスク ３４…音声再生回路３５…ミキサアンプ ３６…画面表示制御装置３７…セレクタ ３７ａ…マイク用入力端子３７ｂ…マイク用出力端子 ３７ｃ…アンプ用入力端子３７ｄ…スピーカ用出力端子 ３７ｅ…無線送信装置用出力端子３８…多目的入力キー ３９…無線送信装置４１…出力先切替部 ４２…モード設定スイッチ４３…マイクロホン ４４…スピーカ４５…テレビモニタ ５０…ヘッドホン
【図１】
0003761953.tif 000002